(57)【要約】非ＨＲＰＤアクセスでＨＲＰＤアクセスネットワークとアクセス端末との間で代替ＨＲＰＤ信号リンクを確立する方法（１０）を開示する。これには、アクセス端末（ＡＴ）（２４）と高速パケットデータ（ＨＲＰＤ）アクセスネットワーク（ＡＮ）（２６）との間に信号転送手段（ＳＦＦ）（２２）を設けるステップ（１２）と、アクセス端末（２４）と信号転送手段（２２）との間にデータトンネル（２８）を確立するステップ（１４）と、データトンネル（２８）を介してＨＲＰＤ信号メッセージおよびＨＲＰＤデータを交換するステップ（１６）と、信号転送手段（２２）による非ＨＲＰＤアクセスでＨＲＰＤアクセスネットワーク（２６）とアクセス端末（２４）を、一定の識別子でヘッダを読み取って、ヘッダをアクセス端末またはネットワークのアドレスにマッピングすることによって識別するステップ（１８）と、アクセス端末（２４）およびＨＲＰＤアクセスネットワーク（２６）から信号転送手段（２２）に到達したＨＲＰＤ信号メッセージおよびＨＲＰＤデータを、それぞれＨＲＰＤアクセスネットワーク（２６）およびアクセス端末（２４）に転送するステップ（２０）とを含む。方法（１０）は、開始およびセッション確立手順を行い、ＨＲＰＤアクセスネットワークへのハンドオフ中の時刻、中断およびパケット損失を最小化し、シームレスな移動性を可能にする。
2010531629.tif 000002
【特許請求の範囲】
【請求項１】
非ＨＲＰＤアクセスでＨＲＰＤアクセスネットワークとアクセス端末との間に代替ＨＲＰＤ信号リンクを確立するための方法において、
アクセス端末と高速パケットデータ（ＨＲＰＤ）アクセスネットワークとの間に信号転送手段を設けるステップと、
前記アクセス端末と前記信号転送手段との間にデータトンネルを確立するステップと、
前記データトンネルを介してＨＲＰＤ信号メッセージとＨＲＰＤデータを交換するステップと、
前記信号転送手段による非ＨＲＰＤアクセスでの前記ＨＲＰＤアクセスネットワークと前記アクセス端末を、ＨＲＰＤセクタＩＤ、アクセス端末ＩＤおよびストリームＩＤを備えるヘッダを読み取り、前記ヘッダを前記アクセス端末と前記アクセスネットワークのうちのいずれかのアドレスにマッピングすることによって識別するステップと、
前記アクセス端末および前記ＨＲＰＤアクセスネットワークから前記信号転送手段に到達する前記ＨＲＰＤ信号メッセージおよび前記ＨＲＰＤデータを、それぞれ前記ＨＲＰＤアクセスネットワークおよび前記アクセス端末に転送するステップとを備える方法。
【請求項２】
ＨＲＰＤエアインターフェースでトラフィックチャネルを確立する前に、非ＨＲＰＤエアインターフェース、非ＨＲＰＤアクセスネットワークおよび非ＨＲＰＤコアネットワークのうちの少なくとも一つとして定義される非ＨＲＰＤアクセスでのＨＲＰＤセッションを先行確立するステップをさらに備える、請求項１に記載の方法。
【請求項３】
ＨＲＰＤエアインターフェースでトラフィックチャネルを確立する前に、非ＨＲＰＤアクセスからＨＲＰＤセッションを認証および先行確立するステップをさらに備える、請求項１に記載の方法。
【請求項４】
前記データトンネルがセキュアである、請求項１に記載の方法。
【請求項５】
非ＨＲＰＤアクセスで前記アクセス端末と前記ＨＲＰＤアクセスネットワークとの間にＨＲＰＤアクセスチャネルのメッセージングトランザクションを許可するステップをさらに備える、請求項１に記載の方法。
【請求項６】
前記アクセスネットワークが、基地局制御装置と無線ネットワーク制御装置のうち、少なくとも一つを含む、請求項１に記載の方法。
【請求項７】
前記アクセス端末と信号転送手段との間の前記データトンネルを閉鎖するステップをさらに備える、請求項１に記載の方法。
【請求項８】
前記アクセスネットワークと信号転送手段との間にインターフェースを設けるステップと、前記信号転送手段とアクセスネットワークとの間にインターフェースを設けるステップと、前記ＨＲＰＤアクセス端末ＩＤを前記非ＨＲＰＤネットワークによって割り当てられるＩＰアドレスにマッピングするステップと、セクタＩＤを前記ＨＲＰＤアクセスネットワークのＩＰアドレスにマッピングすることによって、ＩＰで信号転送手段によりカプセル化されたメッセージをルーティングするステップとのうち、少なくとも一つをさらに備える、請求項１に記載の方法。
【請求項９】
ＨＲＰＤメッセージおよびＨＲＰＤデータを非ＨＲＰＤアクセスで搬送できる汎用コンテナに変換する、シグナリング適合方法で、
開放状態、セットアップ状態およびデフォルト閉鎖状態を含むシグナリング適合プロトコル（ＳＡＰ）を含むＨＲＰＤプロトコルを提供するステップと、
非ＨＲＰＤアクセスで代替ＨＲＰＤ信号リンクを開放するよう要求するステップと、
前記開放状態に入ると、前記代替ＨＲＰＤ信号リンクを起動するステップと、
前記ＨＲＰＤ信号メッセージおよびＨＲＰＤ無線リンクプロトコル（ＲＬＰ）データを非ＨＲＰＤアクセスに適合（カプセル化）させるステップと、
ＨＲＰＤトラフィックチャネルを確立しないで、前記代替ＨＲＰＤ信号リンクを介して前記アクセス端末と前記ＨＲＰＤアクセスネットワークとの間でＨＲＰＤ信号メッセージおよびＨＲＰＤデータを交換するステップと、
非ＨＲＰＤアクセスでの前記ＨＲＰＤアクセスネットワークおよび前記アクセス端末を、セクタＩＤ、ストリームＩＤおよびアクセス端末ＩＤを備えるヘッダを挿入することにより識別するステップとを備えるシグナリング適合方法。
【請求項１０】
前記代替リンクはデータトンネルであり、前記非ＨＲＰＤアクセスは、非ＨＲＰＤエアインターフェース、非ＨＲＰＤアクセスネットワークおよび非ＨＲＰＤコアネットワークのうちの少なくとも一つと定義される、請求項９に記載の方法。
【請求項１１】
ＳＮＰプロトコルメッセージおよびＲＬＰパケットを前記ＳＡＰに転送するステップと、ＳＬＰ−ＤプロトコルメッセージおよびＲＬＰパケットを前記ＳＡＰに転送するステップと、ストリームプロトコルのパケットを前記ＳＡＰに転送するステップのうち、少なくとも一つをさらに備える、請求項１１に記載の方法。
【請求項１２】
前記アクセス端末とアクセスネットワークのうち、少なくとも一つの状態マシンを提供するステップをさらに備える、請求項９に記載の方法。
【請求項１３】
前記ＳＡＰにより前記代替ＨＲＰＤ信号リンクを要求・起動するためのメッセージシーケンスを提供するステップをさらに備える、請求項９に記載の方法。
【請求項１４】
ＨＲＰＤトラフィックチャネルを確立しないで、非ＨＲＰＤアクセスでＨＲＰＤセッション、ＨＲＰＤポイント・ツー・ポイント（ＰＰＰ）およびＨＲＰＤインターネット・プロトコル（ＩＰ）セッションを先行確立するステップをさらに備え、前記非ＨＲＰＤアクセスが非ＨＲＰＤエアインターフェース、非ＨＲＰＤアクセスネットワークおよび非ＨＲＰＤコアネットワークのうち、少なくとも一つと定義される、請求項９に記載の方法。
【請求項１５】
ＨＲＰＤアクセスチャネルの手順なしで、トラフィックの確立を行うステップをさらに備える、請求項９に記載の方法。
【請求項１６】
前記アクセス端末のアイデンティティを含む代替リンク開放要求メッセージを提供するステップをさらに備え、前記接続がＩＰ接続である、請求項９に記載の方法。
【請求項１７】
ＨＲＰＤメッセージおよびＨＲＰＤデータを、非ＨＲＰＤアクセスで搬送できる汎用コンテナに変換するためのシグナリング適合方法で、
開放状態、セットアップ状態およびデフォルトの閉鎖状態を含むシグナリング適合プロトコル（ＳＡＰ）を含むＨＲＰＤプロトコルを提供するステップと、
非ＨＲＰＤアクセスでの代替ＨＲＰＤ信号リンクを開放するよう要求するステップと、
前記開放状態に入ると、前記代替ＨＲＰＤ信号リンクを起動するステップと、
前記ＨＲＰＤ信号メッセージおよびＨＲＰＤ無線リンクプロトコル（ＲＬＰ）データを非ＨＲＰＤアクセスに適応またはカプセル化するステップで、前記非ＨＲＰＤアクセスは非ＨＲＰＤエアインターフェース、非ＨＲＰＤアクセスネットワークおよび非ＨＲＰＤコアネットワークのうち、少なくとも一つとして定義される適応またはカプセル化するステップと、
ＨＲＰＤトラフィックチャネルを確立しないで、前記代替ＨＲＰＤ信号リンクを介して、前記アクセス端末と前記ＨＲＰＤアクセスネットワークとの間でＨＲＰＤ信号メッセージおよびＨＲＰＤデータを交換するステップと、
セクタＩＤ、ストリームＩＤおよびアクセス端末ＩＤを備えるヘッダを挿入することによって、非ＨＲＰＤアクセスで前記ＨＲＰＤアクセスネットワークおよび前記アクセス端末を識別するステップと、
前記アクセス端末およびアクセスネットワークに少なくとも一つの状態マシンを提供するステップと、
前記ＳＡＰにより前記代替ＨＲＰＤ信号リンクを要求・起動するためのメッセージシーケンスを提供するステップとを備えるシグナリング適合方法。
【請求項１８】
ＳＮＰプロトコルメッセージおよびＲＬＰパケットを前記ＳＡＰに転送するステップをさらに備える、請求項１７に記載の方法。
【請求項１９】
ＳＮＰプロトコルメッセージおよびＲＬＰパケットを前記ＳＡＰに転送するステップと、前記ＳＬＰ−Ｄプロトコルメッセージおよび前記ＲＬＰパケットを前記ＳＡＰに転送するステップと、ストリームプロトコルのパケットを前記ＳＡＰに転送するステップとのうち、少なくとも一つをさらに備える、請求項１７に記載の方法。
【請求項２０】
ＨＲＰＤトラフィックチャネルを確立しないで、非ＨＲＰＤアクセスでＨＲＰＤセッション、ＨＲＰＤポイント・ツー・ポイント（ＰＰＰ）およびＨＲＰＤインターネット・プロトコル（ＩＰ）セッションを先行確立するステップをさらに備える、請求項１７に記載の方法。
【発明の詳細な説明】
【技術分野】
【０００１】
本発明は、ＨＲＰＤ信号リンクを確立する方法に関し、より具体的には非ＨＲＰＤアクセスでアクセス端末とアクセスネットワークとの間に代替ＨＲＰＤ信号リンクを確立して、代替信号リンクでＨＲＰＤセッションの先行確立を確立する方法に関係する。
【背景技術】
【０００２】
ユーザ体験に悪影響を及ぼすことなく、ある無線通信技術から別のものにデータ、音声および映像サービスをシームレスに転送できるマルチモード機器の開発への関心がある。
当該機器の例としては、３ＧＰＰロング・ターム・エボリューション（ＬＴＥ）、ＷＬＡＮ、ＷｉＭａｘ等など、他の無線規格と相互運用する３ＧＰＰ２−ＥＶＤＯである。様々なエアインターフェース技術の統合に熱心な関心が寄せられる中、この種の技術間のハンドオフは特に注目を集めてきている。また、主要な携帯電話会社が４Ｇに移行し、広帯域スペースに新興の事業者が出現していることから、４Ｇ技術が成熟する予測可能な将来、事業者内のローミングにも事業者間のローミングにもマルチモード無線通信機器が必要になるであろう。
【０００３】
ＬＴＥなどのような技術で開始されるリアルタイムのデータセッション、例えばＶｏＩＰ通話は、ＨＲＰＤしか利用できないエリアに移動またはローミングすることがあり、ＶｏＩＰ通話をＬＴＥからＨＲＰＤにシームレスにかつ長い遅延なく転送する必要がでてくる。
【０００４】
しかし、ＨＲＰＤはいずれかの種類の通話の発信／受信を許可される前に、セッションを確立する必要がある。ＨＲＰＤの初期化およびセッションの確立は、移動体機器とＨＲＰＤネットワークとの信号交換を必要とする次のステップを含む。すわなち、１．ユニキャストアクセス端末識別子（ＵＡＴＩ）割当手順、２．ＨＲＰＤセッション確立手順、３．アクセス認証、４．ポイント・ツー・ポイント・プロトコル（ＰＰＰ）のセットアップ、５．ＨＲＰＤへの後のハンドオフの準備としてのＩＰセットアップ。しかし、その複雑さとコストの制約から、移動体機器が有する送信機アンテナは典型的には１つに制限され、これが現在の業界標準になっている。
【０００５】
上記詳述した例では、機器が他の無線インターフェースでアクティブに送受信している間に、初期化およびセッション確立のための信号交換に利用できる追加の送信機が必要であろう。
【発明の概要】
【発明が解決しようとする課題】
【０００６】
本発明は、ＬＴＥ、ＷＬＡＮ、ＷｉＭａｘ等などの非ＨＲＰＤネットワークまたは他のエアインターフェースでアクティブな移動体から、ＨＲＰＤの初期化およびセッション確立手順を行って、２つの送信機アンテナを使用する必要なく、ＨＲＰＤへのハンドオフまたは転送中の中断およびパケット損失を最小化する方法および解決策を提案する。
【課題を解決するための手段】
【０００７】
このように、例えば、コスト効率良く、迅速またはユーザフレンドリーで、２つの送信機アンテナを使用する必要がなく、非ＨＲＰＤエアインターフェース（例として、この用語にはＬＴＥ、ＷＬＡＮ、ＷｉＭａｘおよびその他同様なものを含む）でアクティブな移動体から、ＨＲＰＤの初期化およびセッション確立手順を行って、ＨＲＰＤエアインターフェースへのハンドオフまたは転送中の中断およびパケット損失を最小化するニーズがある。
【図面の簡単な説明】
【０００８】
【図１】本発明による、非ＨＲＰＤアクセス時にシグナリングするＨＲＰＤの略図。
【図２】本発明による、非ＨＲＰＤアクセスでＨＲＰＤ信号リンクを確立する方法のブロック図。
【図３】本発明による、信号転送手段および新規インターフェース（Ａｘｘ）を含む、３ＧＰＰ２、Ａ．Ｓ０００８のＨＲＰＤ＿ＩＯＳ規格で定義されるＨＲＰＤ  ＩＯＳアーキテクチャを鎖線で示すブロック図。
【図４】本発明による、経時的に非ＨＲＰＤアクセスでＨＲＰＤ信号リンクを確立するフロー図（アクセス端末（ＡＴ）、信号転送手段（ＳＦＦ）、アクセスネットワーク（ＡＮ）、アクセスネットワーク−ＡＡＡ（ＡＮ−ＡＡＡ）、および時刻ａ〜ｈを、それぞれ列で示し、リンクを開放または確立する方法を表している）。
【図５】本発明による、経時的に非ＨＲＰＤアクセスでＨＲＰＤ信号リンクを閉鎖（または切断）するフロー図（アクセス端末（ＡＴ）、信号転送手段（ＳＦＦ）、アクセスネットワーク（ＡＮ）、アクセスネットワーク−ＡＡＡ（ＡＮ−ＡＡＡ）、および時刻ａ〜ｈを、それぞれ列で示し、リンクを切断または終端する方法を表している）。
【図６】本発明による、経時的にＴＣＰ／ＩＰを使用した非ＨＲＰＤアクセスでＨＲＰＤ信号交換を示すフロー図（アクセス端末（ＡＴ）、信号転送手段（ＳＦＦ）、アクセスネットワーク（ＡＮ）、アクセスネットワーク−ＡＡＡ（ＡＮ−ＡＡＡ）、および時刻ａ〜ｃを、それぞれ列で示す）。
【図７】本明細書で説明するＨＲＰＤ規格ＩＳ８５６で定義されるプロトコル構造（デフォルト信号パスおよびデフォルトデータパスを図示している）。
【図８】本発明による、シグナリング適合プロトコル（ＳＡＰ）および開放（動作中）位置での信号パスを含む、ＨＲＰＤ規格ＩＳ８５６で定義される図７のプロトコル構造を示す環境図。
【図９】本発明による、図８のシグナリング適合プロトコルと開放状態（動作中）の例示的な信号パスの実施形態を示すブロック図。
【図１０】本発明による、図８のシグナリング適合プロトコルと開放状態（動作中）の例示的な信号パスの別の第２実施形態を示すブロック図。
【図１１】本発明による、図８のシグナリング適合プロトコルと開放状態（動作中）の例示的な信号パスの別の第３実施形態を示すブロック図。
【図１２】本発明による、閉鎖状態、セットアップ状態および開放状態を含む図８のシグナリング適合プロトコルのアクセス端末状態マシンを示すブロック図（代替リンクを開閉する方法を表している）。
【図１３】本発明による、閉鎖状態、セットアップ状態および開放状態を含む図８のシグナリング適合プロトコルのアクセスネットワーク状態マシンを示すブロック図（代替リンクを開閉する方法を表している）。
【図１４】本発明による、経時的に非ＨＲＰＤエアインターフェースでＨＲＰＤ信号リンクを確立するフロー図（代替リンク、信号網プロトコル（ＳＮＰ）、シグナリング適合プロトコル（ＳＡＰ）、アクセスネットワーク（ＡＮ）および時刻ａ〜ｌのそれぞれを列で示している）。
【図１５】本発明による、非ＨＲＰＤアクセスで搬送できる汎用コンテナにＨＲＰＤメッセージおよびＨＲＰＤデータを変換するシグナリング適合方法の実施形態のブロック図。
【発明を実施するための形態】
【０００９】
図１，２を参照すると、非ＨＲＰＤアクセスでＨＲＰＤアクセスネットワークとアクセス端末との間に代替ＨＲＰＤ信号リンクを確立するための方法１０が図示されている。方法１０は概略的に、（信号転送手段を）配備するステップ１２と、確立ステップ１４と、交換ステップ１６と、識別ステップ１８と、転送ステップ２０とを含む。より詳細には、方法１０は、アクセス端末（ＡＴ）２４と高速パケットデータ（ＨＲＰＤ）アクセスネットワーク（ＡＮ）２６との間に信号転送手段（ＳＦＦ）２２を設けるステップ１２と、アクセス端末２４と信号転送手段２２との間にデータトンネル２８を確立するステップ１４と、データトンネル２８を介してＨＲＰＤ信号メッセージおよびＨＲＰＤデータを交換するステップ１６と、信号転送手段２２による非ＨＲＰＤアクセスを介して、ＨＲＰＤアクセスネットワーク２６およびアクセス端末２４を、ＨＲＰＤセクタＩＤ、アクセス端末ＩＤおよびストリームＩＤを備えるヘッダを読み取り、ヘッダをアクセス端末とアクセスネットワークのうちいずれかのアドレスにマッピングすることによって識別するステップ１８と、アクセス端末２４およびＨＲＰＤアクセスネットワーク２６から信号転送手段２２に到達するＨＲＰＤ信号メッセージおよびＨＲＰＤデータをそれぞれＨＲＰＤアクセスネットワーク２６およびアクセス端末２４に転送するステップ２０とを備える。有利なことに、方法１０は開始およびセッション確立手順を行い、ＨＲＰＤアクセスネットワークへのハンドオフ中の時間、中断およびパケット損失を最小化し、シームレスな移動性を可能にする。
【００１０】
より詳細には、この方法１０は、ＨＲＰＤの開始およびセッション確立手順を行う。例えば、使用中の移動体などのアクセス端末２４は非ＨＲＰＤアクセスでアクティブになるだろう（３ＧＰＰロング・ターム・エボリューション（ＬＴＥ）、無線ローカル・エリア・ネットワーク（ＷＬＡＮ）およびＷＩＭａｘなど）。この方法１０は、ＨＲＰＤアクセスネットワークへのハンドオフ中の時間、中断およびパケット損失を最小化するとともに、ユーザ体験を最大化するために適応される。ある実施形態では、ＨＲＰＤ信号メッセージはＴＣＰ／ＩＰリンクで、ＨＲＰＤアクセスネットワークを一意に識別するために新たに定義されるヘッダを付される。加えて、方法１０は、ＨＲＰＤをアクセス技術の一つとして使用するマルチモード機器またはアクセス端末での使用に特に適応する。換言すると、この方法１０は、ＨＲＰＤ技術と非ＨＲＰＤエアインターフェース技術との間のシームレスな移動性を提供する。
【００１１】
使用する用語と頭字語の簡単な定義を以下および本出願を通して詳述する。これに反することが明示的に述べられていない限り、当該用語および略語はすべてその通常の意味を有する。本明細書の定義は明確にすることを意図する。
【００１２】
１．エボリューション・データ・オプティマイズドまたはエボリューション・データは、ＥＶ−ＤＯまたはＥＶＤＯまたは１ｘＥＶと省略される。
２．ハイデータレート（ＨＤＲ）および高速パケットデータ（ＨＲＰＤ）は、総称的に無線通信信号によるデータの無線伝送の電気通信規格をいう。ＨＲＰＤはブロードバンドインターネットアクセスと、ボイス・オーバー・インターネット・プロトコル（ＶｏＩＰ）などのリアルタイムのデータサービスを含む様々なデータサービスを提供できる。
【００１３】
３．ＥＶＤＯは、伝送するデータ量を最大化するためのＣＤＭＡ（符号分割多重アクセスおよび周波数分割複信（ＦＤＤ）などの多重化技術を採用する。これは規格のＣＤＭＡ２０００ファミリーの一部として第三世代パートナーシップ・プロジェクト２（３ＧＰＰ２）により標準化され、世界中の数多くの携帯電話サービスプロバイダ、特にＣＤＭＡネットワークを以前から採用しているプロバイダに採用されている。ＣＤＭＡ２０００高速パケットデータ（ＨＲＰＤ）ＥＶＤＯ（エボリューション・データ・オプティマイズド）のさらに具体的な説明は、２００６年９月の「ｃｄｍａ２０００高速パケットデータ・エアインターフェース仕様書」と題する３ＧＰＰ２  Ｃ．Ｓ００２４−ＡおよびＴＩＡ−ＩＳ−８５６（ＩＳ８５６としても知られる）に掲載されている。
【００１４】
４．ＨＲＰＤセッションとは、アクセス端末（ＡＴ）とアクセスネットワーク（ＡＮ）との共有状態をいう。セッションを開放するため以外で、アクセス端末は開放セッションをもたないアクセスネットワークと通信することはできない。
【００１５】
５．接続または専用無線接続とは、アクセス端末に順方向トラフィックチャネル、逆方向トラフィックチャネルおよび関連媒体のアクセス制御チャネルを割り当てられるエアリンクの特定の状態をいう。
【００１６】
６．本明細書で使用するＨＲＰＤの頭字語は総称的に、例として、ＨＤＲ、ＥＶ−ＤＯ、ＥＶＤＯ、１ｘＥＶ、ＣＤＭＡ、ＣＤＭＡ２０００エボリューション・データ・オプティマイズド（ＥＶＤＯ）、規格ＴＩＡ−ＩＳ−８５６、３ＧＰＰ２  ＨＲＰＤ相互運用性仕様Ａ．Ｓ０００８、規格ＴＩＡ−ＩＳ−８５６に基づくｃｄｍａ２０００無線ＩＰネットワークおよびその他同様なものをいい、これらを含む。
【００１７】
７．３Ｇとは、第三世代携帯電話技術をいう。
８．３ＧＰＰとは、ＧＳＭ規格とその進化型を開発する標準化グループである第三世代パートナーシップ・プロジェクトをいう。
【００１８】
９．３ＧＰＰ２とは、ｃｄｍａ２０００の発展型を開発する標準化グループである第三世代パートナーシップ・プロジェクト２をいう。
１０．４Ｇとは、第四世代ブロードバンド無線技術をいう。
【００１９】
１１．ＷｉＭＡＸとは、ワールドワイド・インターオペラビリティ・フォー・マイクロウェーブ・アクセスを意味する。
１２．ＴＣＰとは、伝送制御プロトコル（ＴＣＰ／ＩＰの一部）を意味する。
【００２０】
１３．ＩＰとは、インターネット・プロトコル（ＴＣＰ／ＩＰの一部）である。
ある実施形態では、方法２０は、ＨＲＰＤエアインターフェースでトラフィックチャネルを確立する前に、非ＨＲＰＤアクセスでＨＲＰＤセッションを先行確立するステップを含む。非ＨＲＰＤアクセスとＨＲＰＤアクセスとの間でハンドオフを行うためには、ハンドオフの前にＨＲＰＤセッションを確立する必要がある（適した無線周波数で）。ボイスオーバーＩＰ（ＶｏＩＰ）などのリアルタイムサービスにおける問題は、ＨＲＰＤセッションの確立は約数秒ほどの一定時間がかかり、受け入れ難い通信の中断が発生することがあるということである。非ＨＲＰＤとＨＲＰＤアクセスとの低レイテンシ（低セットアップ時間）アクティブセッションのハンドオフをサポートするために、方法２０は解決策と効果的な手順を提供し、非ＨＲＰＤアクセスからＨＲＰＤアクセスに無線周波数アンテナを切り換える前に、非ＨＲＰＤアクセスしている間にＨＲＰＤセッションを先行確立する。
【００２１】
本明細書で使用するＨＲＰＤアクセスという用語は、ＨＲＰＤエアインターフェース、無線ネットワーク制御装置、基地局およびその他同様なものを含むＨＲＰＤアクセスネットワーク、パケットデータサービスネットワーク（ＰＤＳＮ）、モバイルＩＰホーム・エージェント、モバイルＩＰ移動先エージェントおよびその他同様なものを含むＨＲＰＤコアネットワークのうち、少なくとも１つを含み、本明細書で使用する非ＨＲＰＤアクセスという用語は、非ＨＲＰＤエアインターフェース、非ＨＲＰＤアクセスネットワークおよび非ＨＲＰＤコアネットワークのうち、少なくとも１つを含む。
【００２２】
ある実施形態では、この方法２０はＨＲＰＤエアインターフェースでトラフィックチャネルを確立する前に、非ＨＲＰＤアクセスでアクティブなＨＲＰＤマルチモードアクセス端末（ＨＲＰＤマルチモードアクセス端末とは移動体機器であり、ＨＲＰＤアクセス技術に加えて１または複数のアクセス技術を実装する）からＨＲＰＤセッションを認証し、先行確立するステップを含む。好ましくは、これはトラフィックチャネルを確立する前に、ＨＲＰＤのすべてのプロトコル層のＵＡＴＩ割当、プロトコル・サブタイプ・ネゴシエーション、およびプロトコル構成パラメータ・ネゴシエーションを取得するステップを含む。非ＨＲＰＤとＨＲＰＤとの間でアクティブセッションのハンドオフを行うためには、アクセス端末はアクセスネットワークからＵＡＴＩ割当によってＵＡＴＩを取得し、ＨＲＰＤアクセスネットワークとアクセス端末との間でプロトコルサブタイプおよびプロトコル構成パラメータをネゴシエーションする必要があるだろう。しかし、これらの手順は受け入れ難い時間がかかりかねず（不快なユーザ体験）、ＶｏＩＰなどの周知のリアルタイムサービスにおいて受け入れ難い通信の中断を起こしかねない。上記使用したように、アクティブセッションとは、アクセス端末が専用無線接続でユーザ・データを送受信している最中であることを意味する。
【００２３】
有利なことに、非ＨＲＰＤとＨＲＰＤアクセスとの間の低レイテンシ（通信の中断を最小限に抑える）アクティブセッションのハンドオフをサポートするために、方法は、非ＨＲＰＤアクセスからＨＲＰＤアクセスへ無線周波数アンテナを切り換える前に、非ＨＲＰＤアクセスの間にＨＲＰＤ  ＵＡＴＩ、ＨＲＰＤプロトコルサブタイプおよび構成パラメータを取得する効果的な手順を確立するステップを含む。
【００２４】
ある実施形態では、アクセスネットワーク上でのセキュリティ攻撃の可能性を最小化するため、およびアクセス端末のプライバシーを保護するために、図１のデータトンネルはセキュアである。
【００２５】
別の実施形態では、方法は、ＨＲＰＤアクセスチャネルが非ＨＲＰＤエアインターフェースのアクセス端末とのメッセージングすることを許可するステップを含む。この特徴は、例えば、非ＨＲＰＤネットワークからＨＲＰＤネットワークにハンドオフを行うためにかかる時間を短縮できる。この実施形態では、ＨＲＰＤトラフィックチャネルを取得するためにＨＲＰＤで要するアクセス手順を迂回するのが望ましく、こうすることでハンドオフ中のユーザ体験を有利に改善する。
【００２６】
当業者なら分かるように、アクセスネットワークは基地局制御装置、無線ネットワーク制御装置、複数の前記制御装置、およびその他同様なものを含むことができる。基地局は一以上のトランシーバを介してアクセス端末とアクセスネットワークとの無線周波数（ＲＦ）インターフェースを提供する。セッションの確立、セッションの維持などのために、アクセスネットワークはＨＲＰＤアクセス端末と信号メッセージを交換する。
【００２７】
さらに別の実施形態では、方法は、アクセス端末と信号転送手段とのインターフェースを提供するステップと、信号転送手段とアクセスネットワークとのインターフェースを提供するステップとを含むことができる。この実施形態では、信号転送手段は、アクセスネットワークの実装、およびアクセスネットワークローディングとオペレータネットワークのレイアウトに基づく拡張性を容易にするために、信号転送手段は独立型モジュールまたは特徴と定義できる。有利なことに、アクセス端末と信号転送手段とのインターフェースは様々なアクセス端末のベンダと信号転送手段のベンダとの相互運用性をサポートできる。同様に、信号転送手段とＨＲＰＤアクセスネットワークの間にあるものとして定義されるインターフェースは、様々なＨＲＰＤネットワークのベンダと信号転送手段のベンダとの相互運用性を提供し、それをサポートする。
【００２８】
好適な実施形態では、方法は、ＨＲＰＤアクセス端末ＩＤを非ＨＲＰＤネットワークによって割り当てられたＩＰアドレスへのマッピングのステップを含む。ＨＲＰＤ固有情報を処理する必要がなく、非ＨＲＰＤネットワークを維持するためには、アクセス端末と信号転送手段との間に確立されるデータトンネルで汎用搬送メカニズムを使用することが重要であり、ＴＣＰ／ＩＰはこのような選択肢を提供する。ＨＲＰＤアクセスのアクセス端末を識別するために使用する識別をＴＣＰ／ＩＰドメインにマッピングする必要があり、そこでＩＰアドレスを使用する。この特徴がこの機能を可能にする。
【００２９】
また、好適な実施形態では、この方法はＩＰ上で信号転送手段によってカプセル化したメッセージを、ＨＲＰＤアクセスネットワークのＩＰアドレスにセクタＩＤをマッピングすることによりルーティングするステップを含む。アクセス端末から信号転送手段に到達したＨＲＰＤ信号メッセージはＨＲＰＤアクセスネットワークに転送する必要があり、アクセスネットワークから信号転送手段に到達したＨＲＰＤ信号メッセージはアクセス端末に転送する必要がある。しかし、すべてのＨＲＰＤアクセスネットワークに対してそれぞれ個別の信号転送手段を有することは実用的ではない。１つの信号転送手段を多くのＨＲＰＤアクセスネットワークのために使うのが望ましい。この特徴はＨＲＰＤネットワークのＩＤをマッピングするが、これはアクセスネットワーク内に到達可能なＨＲＰＤネットワークのＩＰアドレスに対しセクタＩＤにより一意に識別される。
【００３０】
図３を参照すると、この図は参照により本明細書に組み込まれる３ＧＰＰ２、Ａ．Ｓ０００８のＨＲＰＤ＿ＩＯＳ規格で定義されるＨＲＰＤ  ＩＯＳアーキテクチャを鎖線で示す。図３は信号転送手段も含む。有利なことに、この図およびアプリケーションにおける信号転送手段はＨＲＰＤと非ＨＲＰＤとの迅速かつ信頼性のあるハンドオフを提供すると同時に、コスト効率の良い解決策である。より詳細には、ＨＲＰＤセッションを先行確立するためには（非ＨＲＰＤアクセスでＨＲＰＤ信号メッセージおよびデータの交換により）、代替パスを定義する必要がある。この方法および信号転送手段は次のことを提供する：非ＨＲＰＤアクセスが非ＨＲＰＤについてデータトンネルでＨＲＰＤ固有情報とＴＣＰ／ＩＰを処理する必要のない代替パス、非ＨＲＰＤにについてＴＣＰ／ＩＰ上で送信され、正しいアクセスネットワークおよびアクセス端末にルーティングされるＨＲＰＤ信号メッセージ、ＴＣＰ／ＩＰドメインからＨＲＰＤドメインへの翻訳、アクセスネットワークを攻撃から保護するためのセキュリティ。
【００３１】
図４は、経時的に非ＨＲＰＤエアインターフェースでＨＲＰＤ信号リンクを確立するためのフロー図であり、この図はアクセス端末（ＡＴ）、信号転送手段（ＳＦＦ）、アクセスネットワーク（ＡＮ）、アクセスネットワークＡＡＡ（ＡＮ−ＡＡＡ）、および時刻ａ〜ｈのそれぞれに、それぞれ列を含み、リンクを開放する方法を表している。
【００３２】
より詳細には、ａからｈまでの項目は時刻とシーケンスにおいて詳細な流れを提供する。時刻ａで、アクセス端末はＩＰ接続を確立する。ＩＰ接続は非ＥＶＤＯエアインターフェースで確立される。時刻ｂで、アクセス端末はＩＰベアラで信号転送手段にＡｌｔｅｒｎａｔｅＬｉｎｋＯｐｅｎＲｅｑメッセージを送信する。ＡｌｔｅｒｎａｔｅＬｉｎｋＯｐｅｎＲｅｑメッセージは移動局のアイデンティティを含む。時刻ｃで、信号転送手段は、ＡｌａｔｅｒｎａｔｅＬｉｎｋＯｐｅｎＲｅｑメッセージを受信すると、ＡＮ−ＡＡＡからアクセス端末認証を取得する。時刻ｄで、信号転送手段は、アクセス端末と信号転送手段との間でセキュアなデータトンネルを確立するために、移動体の認証をトリガする。時刻ｅで、信号転送手段とアクセス端末との間にセキュアなデータトンネルが作られる。時刻ｆで、信号転送手段はＡｘｘ−ＡｌｔｅｒｎａｔｅＬｉｎｋＯｐｅｎＲｅｑメッセージをアクセスネットワークに送信する。時刻ｇで、アクセスネットワークはＡｘｘ−ＡｌｔｅｒｎａｔｅＬｉｎｋＯｐｅｎＲｅｓｐメッセージを付して信号転送手段に応答を返す。時刻ｈで、信号転送手段はＡｌｔｅｒｎａｔｅＬｉｎｋＯｐｅｎＲｅｓｐメッセージをアクセス端末に転送する。利点は…
有利なことに、この手順は代替信号リンクを確立する効果的な方法を提供し、好ましくはネットワークが認証を行い、セキュアなトンネルを確立するための手段を含むことができる。加えて、アクセスネットワークが代替リンクでＨＲＰＤシグナリングをサポートする場合、発見の効果的な方法を提供するメカニズムを含むことができ、時間や費用がかかる明示的な手段によりアクセスネットワークの能力を通知する必要がない。
【００３３】
本明細書で使用するアクセスネットワーク−ＡＡＡ（ＡＮ−ＡＡＡ）とは、アクセスネットワーク−認証・承認・課金を意味する。
認証とは、サービスを要求しているユーザが、要求されているネットワークサービスの有効なユーザであることの確認をいう。認証はアイデンティティと認証の提示により行われる。認証の種類の例は、パスワード、ワンタイムトークン、デジタル証明書、および電話番号（発呼／着呼）。
【００３４】
承認とは、ユーザに対する特定の種類のサービス（「サービスなし」を含む）を、その認証、ユーザが要求しているサービス、および現在のシステムの状態に基づいて付与することをいう。承認は、制約、例えば、時間帯の制約、または物理的な場所の制約、または同じユーザによる複数のログインに対する制約に基づくことができる。承認はユーザに付与するサービスの性質を決定する。サービスの種類の例には、ＩＰアドレスのフィルタリング、アドレスの割当、経路割当、ＱｏＳ／差別化サービス、帯域幅制御／トラフィック管理、特定のエンドポイントへの強制的なトンネリングおよび暗号化を含むが、これだけに限定されない。
【００３５】
課金とは、ユーザによるネットワークリソースの消費の追跡をいう。この情報は管理、プランニング、請求書発行またはその他の目的で使用できる。リアルタイムの課金とは、リソースの消費と同時に配信される課金情報をいう。一括課金とは、後で配信されるまで蓄積される課金情報をいう。課金の際に収集される典型的な情報は、ユーザのアイデンティティ、配信したサービスの性質、サービス開始時間および終了時間である。
【００３６】
図５は、本発明による、経時的に非ＨＲＰＤエアインターフェースでＨＲＰＤ信号リンクを閉鎖（または切断）するためのフロー図であり、図にはアクセス端末（ＡＴ）、信号転送手段（ＳＦＦ）、アクセスネットワーク（ＡＮ）、アクセスネットワーク−ＡＡＡ（ＡＮ−ＡＡＡ）、および時刻ａ〜ｆのそれぞれに、それぞれ列を含み、リンクを切断する方法を表している。
【００３７】
好適でさらに詳細な実施形態では、時刻ａで、アクセス端末はアクセス端末と信号転送手段（ＳＦＦ）との間に既にセキュアなデータトンネルを確立している。時刻ｂで、アクセス端末はＩＰベアラでＡｌｔｅｒｎａｔｅＬｉｎｋＣｌｏｓｅＲｅｑメッセージを信号転送手段に送信する。時刻ｃで、信号転送手段は、ＡｌｔｅｒｎａｔｅＬｉｎｋＣｌｏｓｅＲｅｑを受信すると、アクセス端末とアクセスネットワークとの間の代替リンク接続を閉鎖する手順を開始し、アクセスネットワークにＡｘｘ−ＡｌｔｅｒｎａｔｅＬｉｎｋＣｌｏｓｅＲｅｑメッセージを送信する。時刻ｄで、アクセスネットワークはＡｘｘ−ＡｌｔｅｒｎａｔｅＬｉｎｋＣｌｏｓｅＲｅｓｐメッセージを付して応答を返す。時刻ｅで、信号転送手段は代替リンクを閉鎖する手順を完了して、アクセス端末にＡｌｔｅｒｎａｔｅＬｉｎｋＣｌｏｓｅＲｅｓｐを送信する。さらに、時刻ｆで、アクセス端末と信号転送手段との間のセキュアなデータトンネルを閉鎖する。本明細書で使用するＩＰベアラとは、エンド・ツー・エンドの搬送プロトコルのメカニズムとしてＴＣＰ／ＩＰを使用するデータ搬送をいう。
【００３８】
これは、ある実施形態では、アクセス端末とアクセスネットワークで稼働しているシグナリング適合状態マシンの同期を確保しながら、非ＨＲＰＤエアインターフェースでＨＲＰＤアクセスネットワークとアクセス端末との間の代替信号リンクを閉鎖または切断する信頼性のある手順を提供する。
【００３９】
図６は、本発明による、経時的にＴＣＰ／ＩＰを使用して非ＨＲＰＤエアインターフェースでＨＲＰＤ信号交換を示すフロー図であり、図はアクセス端末（ＡＴ）、信号転送手段（ＳＦＦ）、アクセスネットワーク（ＡＮ）、アクセスネットワーク−ＡＡＡ（ＡＮ−ＡＡＡ）、および時刻ａ〜ｃのそれぞれに、それぞれ列を含む。
【００４０】
好適でさらに詳細な実施形態では、時刻ａで、アクセス端末はアクセス端末と信号転送手段（ＳＦＦ）との間にセキュアなデータトンネルを既に確立している。時刻ｂで、アクセス端末はＩＰベアラでＡｌｔｅｒｎａｔｅＬｉｎｋメッセージを信号転送手段に送信する。ＡｌｔｅｒｎａｔｅＬｉｎｋＭｅｓｓａｇｅはカプセル化されたＨＲＰＤ信号メッセージを有し、信号転送手段がこのメッセージをどのアクセスネットワークに転送すべきかを決定するヘッダ情報が含まれている。さらに、時刻ｃで、信号転送手段は、ＡｌｔｅｒｎａｔｅＬｉｎｋＭｅｓｓａｇｅを受信すると、このメッセージを適切なアクセスネットワークに転送する。これは、非ＨＲＰＤネットワークがＨＲＰＤ固有情報を解釈・処理する必要なく、非ＨＲＰＤアクセスでＨＲＰＤ信号メッセージとＨＲＰＤデータを透過的に交換するためのメカニズムを提供する。
【００４１】
図１５を参照すると、ＨＲＰＤメッセージおよびＨＲＰＤデータを非ＨＲＰＤアクセスで搬送できる汎用コンテナに変換するシグナリング適合方法５０の代替実施形態が示されている。方法５０は、開放状態、セットアップ状態およびデフォルト閉鎖状態を含むシグナリング適合プロトコル（ＳＡＰ）を含むＨＲＰＤプロトコルを提供するステップ５２と、非ＨＲＰＤアクセスでの代替ＨＲＰＤ信号リンクを開放するよう要求するステップ５４と、開放状態に入ったら代替ＨＲＰＤ信号リンクを起動するステップ５６と、ＨＲＰＤ信号メッセージおよびＨＲＰＤ無線リンクプロトコル（ＲＬＰ）データを非ＨＲＰＤアクセスに適応（およびカプセル化）するステップ５８と、ＨＲＰＤトラフィックチャネルを確立しないで、代替ＨＲＰＤ信号リンクを介してアクセス端末とＨＲＰＤアクセスネットワークとの間でＨＲＰＤ信号メッセージおよびＨＲＰＤデータを交換するステップ６０と、セクタＩＤ、ストリームＩＤおよびアクセス端末ＩＤを備えるヘッダを挿入することにより、非ＨＲＰＤアクセスでＨＲＰＤアクセスネットワークおよびアクセス端末を識別するステップ６２とを備える。方法は開始およびセッション確立手順を行い、ＨＲＰＤアクセスネットワークへのハンドオフ中の時間、中断およびパケット損失を最小化し、シームレスな移動性を可能にする。
【００４２】
有利なことに、この方法は非ＨＲＰＤ技術の専用無線接続でＨＲＰＤ信号メッセージおよびＨＲＰＤデータを交換するメカニズムまたはプロセスを提供し、これは非ＨＲＰＤ無線技術とＨＲＰＤセルラー技術との間でアクティブなセッションのハンドオフを行うことのできるマルチモードアクセス端末の開発コストを軽減する。
【００４３】
２００６年９月の「ｃｄｍａ２０００高速パケットデータ・エアインターフェース仕様書」と題する３ＧＰＰ２  Ｃ．Ｓ００２４Ａなどの周知の方法に従いＨＲＰＤ信号メッセージを送受信する状況を提供するためには、専用無線接続を確立する必要がある。専用無線接続とは、アクセス端末に順方向トラフィックチャネル、逆方向トラフィックチャネル、および関連媒体アクセス管理チャネルを割り当てる特定の状態のエアリンクと定義される。ＨＲＰＤ無線技術および非ＨＲＰＤ無線技術を実装し、かつ非ＨＲＰＤが専用無線接続につながっているマルチモード移動体機器では、ＨＲＰＤ技術も同時に専用無線接続につなげるのは費用がかさみ、冗長である。
【００４４】
ＨＲＰＤなどのある技術を実装したマルチモードアクセス端末が、非ＨＲＰＤ無線技術からＨＲＰＤ無線技術へのアクティブなセッションのハンドオフを行うためには（アクティブなセッションとは、アクセス端末が専用無線接続でユーザ・データを送受信している最中であることを意味する）、３ＧＰＰ２  Ｃ．Ｓ００２４Ａに従い、ＨＲＰＤセッションを確立する必要があり、これはアクセス端末とＨＲＰＤアクセスネットワークとの間の専用無線接続でＨＲＰＤ信号メッセージおよびＨＲＰＤデータを交換することを含む。しかし、２つの専用無線接続を持つと、実装に費用がかさみ、技術的に複雑になるであろう。
【００４５】
この方法５０は専用の非ＨＲＰＤ無線接続でＨＲＰＤ信号メッセージおよびＨＲＰＤデータを交換するためのコスト効率の良い方法およびメカニズムを提供し、非ＨＲＰＤ無線技術とＨＲＰＤ技術との間でアクティブなセッションのハンドオフを行うことのできるマルチモードアクセス端末の開発コストを軽減する。
【００４６】
好適な実施例では、この方法５０はさらに、ＨＲＰＤトラフィックチャネルを確立することなく、非ＨＲＰＤアクセスでＨＲＰＤセッション、ＨＲＰＤポイント・ツー・ポイント（ＰＰＰ）およびＨＲＰＤインターネット・プロトコル（ＩＰ）セッションの先行確立を提供するステップを含む。ＨＲＰＤなどのある技術を実装したマルチモードアクセス端末が、非ＨＲＰＤ無線技術からＨＲＰＤ無線技術へのアクティブなセッションのハンドオフを行うためには、３ＧＰＰ２  Ｃ．Ｓ００２４Ａに従い、ＨＲＰＤセッション、ＰＰＰセッションおよびＩＰセッションを確立する必要があり、これはアクセス端末とＨＲＰＤアクセスネットワークとの間の専用無線接続でＨＲＰＤ信号メッセージおよびＨＲＰＤデータを交換することを含む。ＨＲＰＤ無線技術および非ＨＲＰＤ無線技術を実装し、かつ非ＨＲＰＤが専用無線接続につながっているマルチモード移動体機器では、ＨＲＰＤ技術も同時に専用無線接続につなげるには費用がかさみ、技術的に冗長であり、貴重な通信時間を使うことになるだろう。この先行確立の特徴で、マルチモードアクセス端末は非ＨＲＰＤ無線技術とＨＲＰＤセルラー技術との間でアクティブなセッションのハンドオフを行えるようになる。
【００４７】
さらに別の実施形態では、方法５０はＨＲＰＤアクセスチャネルの手順なくトラフィックの確立を行うステップを含む。これは有利なことに、非ＨＲＰＤネットワークの代替リンクでＨＲＰＤアクセスチャネルメッセージを送信し、それにより、トラフィックチャネルを取得するためのＨＲＰＤのアクセスチャネル手順を迂回する手段を提供する。
【００４８】
状況として、ＨＲＰＤ  ３ＧＰＰ２  Ｃ．Ｓ００２４Ａ規格などの現在の実施態様は、アクセスチャネルメッセージを交換するなどのアクセスチャネル手順を必要とし、このために非ＨＲＰＤからＨＲＰＤへのアクティブなセッションのハンドオフに余計な時間をもたらす。一般的に、アクセスチャネルメッセージは、ＨＲＰＤアクセスネットワークとアクセス端末との間の専用無線接続のためにトラフィックチャネル割当を取得するために送信する。
【００４９】
非ＨＲＰＤネットワークからＨＲＰＤネットワークへのアクティブなセッションのハンドオフを行うためにかかる時間を短縮するには、好適な実施形態では、アクセスチャネルメッセージはアクセス手順を行うことなく、それにより当該手順を効果的に迂回して送信する。このことによって、効果的なハンドオフを提供し、ハンドオフ中のユーザ体験が改善される。
【００５０】
さらに別の実施形態では、図１２から図１４に図示するように、方法５０は、アクセス端末のアイデンティティを含む代替リンク開放要求メッセージを提供するステップを含むことができ、接続はＩＰ接続である。この特徴は、ＡｌｔｅｒｎａｔｅＬｉｎｋＯｐｅｎＲｅｑｕｅｓｔメッセージでアクセス端末のアイデンティティ送信する有益な手順を提供するので、アクセスネットワークがアクセス端末の認証を確認でき、非ＨＲＰＤネットワークでアクセス端末とアクセスネットワークとの間のセキュアな通信リンクを確保するための認証および確認手順を任意で行う。
【００５１】
図７は、参照により本明細書に組み込まれるＨＲＰＤ規格ＩＳ８５６により定義されるプロトコル構造の図である。本明細書で説明するデフォルトの信号パスも示す。この図は、プロトコル、ソフトウェアおよび独立したプロトコルネゴシエーションの部分的な更新を許可するモジュラー設計によるＨＲＰＤ階層アーキテクチャを示す。
【００５２】
以下に説明するのは、図７に図示するプロトコルスタック層の一般論である。右下から上に向かって、物理層は、チャネル構造、周波数、電力出力、変調および順方向および逆方向のリンクチャネルの符号化の仕様を提供し、手順をサポートするプロトコルを提供する。媒体アクセス制御（ＭＡＣ）層は物理層で送受信するために使用される手順をサポートするプロトコルを定義する。セキュリティ層は認証および暗号化のサービスをサポートするプロトコルを提供する。接続層はエアリンク接続の確立および維持のサービスをサポートするプロトコルを提供する。セッション層はプロトコルネゴシエーション、プロトコル構成、およびセッション状態の維持のサービスをサポートするプロトコルを提供する。ストリーム層は、異なるアプリケーションストリームの多重化をサポートするプロトコルを提供する。アプリケーション層はＨＲＰＤプロトコルメッセージを搬送するためのデフォルトシグナリングアプリケーションおよびユーザ・データを搬送するためのデフォルトパケットアプリケーションをサポートするアプリケーションプロトコルを提供する。より詳細には、ＨＲＰＤ規格ＩＳ８５６を参照する。
【００５３】
図８は、本発明によるシグナリング適合プロトコル（ＳＡＰ）および開放（動作中）位置の信号パスを含む、図７のＨＲＰＤ規格ＩＳ８５６で定義されるプロトコル構造を示す環境図である。ＳＡＰは提供する…
図９、図１０および図１１は、図８のシグナリング適合プロトコルと開放（動作中）状態の例示的な信号パスの３つの実施形態を示す。
【００５４】
ある実施形態では、図９の実線の信号パスで示すＳＮＰプロトコルメッセージとＲＬＰパケットをＳＡＰに転送する。
例えば、ＨＲＰＤアクセスネットワークとマルチモードアクセス端末との間に専用無線通信を確立しないでＨＲＰＤセッションの確立を行うために、この方法は有利なことに、ＨＲＰＤプロトコルスタックの７つの層すべてが生成する信号メッセージを信号網プロトコル（ＳＮＰ）からシグナリング適合プロトコルに転送するための手順を提供する。このように、１）ＨＲＰＤのすべての層が生成したＨＲＰＤ信号メッセージをＳＮＰからシグナリング適合プロトコル（図９左の実線の信号パス）に、および２）無線リンクプロトコル（ＲＬＰ）により生成または通過されるＨＲＰＤデータをシグナリング適合プロトコルに（図９の右の信号パスを通して）転送することにより、ＩＳ−５６Ａ  ＨＲＰＤ規格などの周知の実施態様に対する技術的な影響を最小化する。加えて、…
図９および図１０では、スイッチを制御するＳＡＰ状態を示しており、双極状スイッチのように、これは２つのソフトウェア接続スイッチを提供して、信号がデフォルトパス（鎖線、閉鎖状態）をたどれるようにする、または動作状態は実線の信号パスをたどる。
【００５５】
図１０に図示する第２実施形態では、信号リンクプロトコル−Ｄ（ＳＬＰ−Ｄ）プロトコルメッセージおよびＲＬＰパケットがＳＡＰに転送される。ＨＲＰＤアクセスネットワークとマルチモードアクセス端末との間に専用無線通信を確立しないでＨＲＰＤセッションの確立を行うために、この方法は有利なことに、ＨＲＰＤプロトコルスタックの７つの層の全部が生成する信号メッセージを信号網プロトコル（ＳＮＰ）および信号リンクプロトコル（ＳＬＰ−Ｄ）からシグナリング適合プロトコルに転送するための手順を提供する。ＨＲＰＤのすべての層で生成されるＨＲＰＤ信号メッセージをＳＬＰによりシグナリング適合プロトコルに転送することによって、これはＳＡＰを信号メッセージのシーケンシングおよび再送信をしなくてもよく、それによりシグナリング適合プロトコル手順を簡素化する。加えて、無線リンクプロトコル（ＲＬＰ）により生成または通過されるＨＲＰＤデータは、シグナリング適合プロトコルに転送する。
【００５６】
図１１に図示する第３実施形態では、ストリームプロトコルのパケットをＳＡＰに転送する。ＨＲＰＤアクセスネットワークとマルチモードアクセス端末との間に専用無線通信を確立しないでＨＲＰＤセッションの確立を行うために、この方法は有利なことに、ＨＲＰＤプロトコルスタックの７つの層全部によって生成される信号メッセージを、信号網プロトコル（ＳＮＰ）および信号リンクプロトコル（ＳＬＰ−Ｄ）およびストリームプロトコルからシグナリング適合プロトコルに転送するための手順を提供する。ＨＲＰＤのすべての層が生成するＨＲＰＤ信号メッセージをストリームプロトコルによりシグナリング適合プロトコルに転送することによって、ＳＡＰを信号メッセージのシーケンシングおよび再転送から解放するとともに、ストリームの識別子の含有および解釈から解放するため、シグナリング適合プロトコル手順をさらに簡素化する。加えて、無線リンクプロトコル（ＲＬＰ）により生成または通過されるＨＲＰＤデータをストリームプロトコルからシグナリング適合プロトコルに転送するため、さらにシグナリング適合プロトコルの展開が簡素化される。
【００５７】
図１２および図１３は、図9のアクセス端末と、閉鎖状態、セットアップ状態および開放状態を含むシグナリング適合プロトコルのアクセスネットワーク状態マシンを示し、代替リンクを開放する方法を表している。この方法は有利なことに、非ＨＲＰＤ代替リンクからデフォルトのＨＲＰＤ信号リンクへ、およびその逆へ効果的に遷移するための手順を提供する。この方法で定義される状態遷移およびメッセージは、ＨＲＰＤネットワークとマルチモードアクセス端末を同期させる効果的な方法を確保する。加えて、この特徴の別の利点が、明示的シグナリングをしないで、アクセスネットワークによりシグナリング適合プロトコルまたは代替リンクサポートのサポートを決定するメカニズムを提供し、ＨＲＰＤおよび非ＨＲＰＤ無線システムの無線周波数リソースの使用量を軽減する。
【００５８】
図１４は、本発明による、経時的に非ＨＲＰＤエアインターフェースでＨＲＰＤ信号リンクを確立するためのフロー図であり、図は、代替リンク、信号網プロトコル（ＳＮＰ）、シグナリング適合プロトコル（ＳＡＰ）、アクセスネットワーク（ＡＮ）、および時刻ａ〜ｌのそれぞれに、それぞれ列を含む。好適な実施形態では、方法５０はさらに、ＳＡＰにより代替リンクを要求・起動するためのメッセージシーケンスを提供するステップを含む。この特徴は有利なことに、専用ＨＲＰＤ無線接続を確立しないで、コスト効率良くＨＲＰＤ信号メッセージを確立・適応する手段を提供する。この方法は、３ＧＰＰ２−Ｃ．Ｓ００２４Ａ規格などで既に実装および配備されているＨＲＰＤアクセスネットワークおよび移動体機器との後方互換性も提供できる。
【００５９】
より詳細には、このフロー図はＨＲＰＤ規格Ｃ．Ｓ００２４Ａで既に定義されている他のプロトコルの状況における、シグナリング適合プロトコルの動的な挙動を描いている。時刻ａで、移動体機器は電源が入る。時刻ｂで、信号網プロトコルがシグナリング適合プロトコルを起動する。時刻ｃで、シグナリング適合プロトコルがそのローカル変数を初期化して、閉鎖状態に入る。時刻ｄで、代替リンクで専用チャネルが利用できるようになると、ＳＮＰにそれを通知する。時刻ｅで、ＳＮＰは代替リンクの可用性を真に設定する。時刻ｆで、ＳＮＰは信号メッセージをネットワークに送る必要性を検出する。これは、ＳＡＰ．ＡｌｔｅｒｎａｔｅＬｉｎｋＡｃｔｉｖａｔｅを送ることによって代替リンクでシグナリングを起動する。時刻ｇで、ＳＡＰはＡｌｔｅｒｎａｔｅＬｉｎｋＯｐｅｎＲｅｑメッセージをネットワークに送る。時刻ｈで、ＳＡＰはセットアップ状態に入り、適切な変数を更新する。時刻ｉで、ネットワークは代替リンクで信号リンクをセットアップした後、ＡｌｔｅｒｎａｔｅＬｉｎｋＯｐｅｎＲｅｓｐメッセージを送る。これはセキュアなデータトンネルセットアップ等を包含できる。時刻ｊで、ＳＡＰは開放状態に入り、適切な変数を設定する。時刻ｋで、ＳＡＰはＳＡＰ．ＡｌｔｅｒｎａｔｅＬｉｎｋＯｐｅｎＩｎｄｉｎｄｉｃａｔｉｏｎをＳＮＰに送る。時刻ｌで、ＳＮＰはＡｌｔｅｒｎａｔｅＬｉｎｋＯｐｅｎステータスを真に設定する。
【００６０】
本明細書で開示する発明概念は数多くの変更ができることは理解されるべきである。当該変更が添付の請求項およびその均等物の範囲内にある限り、これらは本特許申請に含まれることが意図される。
【図１】
2010531629.tif 000003
【図２】
2010531629.tif 000004
【図３】
2010531629.tif 000005
【図４】
2010531629.tif 000006
【図５】
2010531629.tif 000007
【図６】
2010531629.tif 000008
【図７Ａ】
2010531629.tif 000009
【図７Ｂ】
2010531629.tif 000010
【図８Ａ】
2010531629.tif 000011
【図８Ｂ】
2010531629.tif 000012
【図９】
2010531629.tif 000013
【図１０】
2010531629.tif 000014
【図１１】
2010531629.tif 000015
【図１２】
2010531629.tif 000016
【図１３】
2010531629.tif 000017
【図１４】
2010531629.tif 000018
【図１５】
2010531629.tif 000019
【国際調査報告】
2010531629.tif 000020
2010531629.tif 000021
2010531629.tif 000022
2010531629.tif 000023